(57)【要約】  本発明は、タップ付変成器の巻線タップの間を無中断で切り換えるための半導体製スイッチ部品を備えたタップ切換器に関する。本発明では、固定位置のタップ接点の軌道の方向に延びるコンタクトバーが配備されており、これらのコンタクトバーは、コンタクトスライダーを用いて一緒移動可能なコンタクトブリッジとコンタクトして、負荷導線との直接的な電気接続と半導体製スイッチ部品の入力及び出力との直接的な電気接続の両方が可能なように構成されている。
2012523681.tif 000002
【特許請求の範囲】
【請求項１】
タップ付変成器の巻線タップと電気的に接続されている、軌道に沿って配置された固定位置のタップ切換接点（１４）の間を無中断で切り換えるための半導体製スイッチ部品を備えたタップ切換器であって、
それぞれ一つの別個の電気入力（４又は５）と共通の電気出力（６）を有する二つの半導体製スイッチ部品（２，３）が配備されており、
固定位置のタップ切換接点（１４）の軌道に沿って移動可能なコンタクトスライダー（９）を備えた機械的なコンタクトシステム（８）が配備されており、
導電性であるが、互いに絶縁された全部で四つのコンタクトブリッジ（１０，１１，１２，１３）が、コンタクトスライダー（９）上に固定して配置されており、
導電性であるが、互いに絶縁された三つのコンタクトバー（１６，１７，１８）が、固定位置のタップ切換接点（１４）の軌道に対して平行に配備されており、これらのコンタクトバーは、それぞれ一方の電気入力（４又は５）又は電気出力（６）と電気的に接続されており、
コンタクトバー（１６，１７，１８）に対して平行であり、更に、これらのコンタクトバーに対して電気的に絶縁された別の導電性のバイパスコンタクトバー（１９）が配備されており、このバイパスコンタクトバー自体は、負荷導線（２０）と電気的に接続されており、
コンタクトブリッジ（１０，１１，１２，１３）は、それらがコンタクトバー（１６，１７，１８）又はバイパスコンタクトバー（１９）とコンタクトしており、切換毎に、これらのコンタクトバーを介して、一つの固定位置のタップ切換接点（１４）と負荷導線（２０）又は一方の電気入力（４，５）の間の選択的な電気接続並びに電気出力（６）と負荷導線（２０）の間の別の選択的な電気接続を形成することができるように、大きさを選定されるとともに、コンタクトスライダー（９）上の空間に配置されている、
タップ切換器。
【請求項２】
固定位置のタップ切換接点（１４）が、平坦な軌道に沿って配置されおり、コンタクトスライダー（９）が、直線的に移動することが可能である、請求項１に記載のタップ切換器。
【請求項３】
固定位置のタップ切換接点（１４）が、環状の軌道上に、回転可能なコンタクトスライダー（９）の回転中心の周りに同心の形で配置されている、請求項１に記載のタップ切換器。
【請求項４】
半導体製スイッチ部品（２，３）がＩＧＢＴである、請求項１から３までのいずれか一つに記載のタップ切換器。
【発明の詳細な説明】
【技術分野】
【０００１】
本発明は、タップ付変成器の巻線タップの間を無中断で切り換えるための半導体製スイッチ部品を備えたタップ切換器に関する。
【背景技術】
【０００２】
そのようなタップ切換器は、特許文献１により周知である。この周知のタップ切換器では、各巻線タップと接続可能な二つの負荷分岐部が配備されており、これら二つの負荷分岐部の各々が、半導体製スイッチ部品によってスイッチング可能であるとともに、共通の負荷導線と電気的に接続することが可能である。
【０００３】
負荷切換用の機械的な接点を備えた従来のタップ切換器又は負荷切換用の真空開閉室を備えたタップ切換器と異なり、この半導体製スイッチ部品を備えた周知のタップ切換器は、遷移抵抗を必要としない。
【０００４】
この周知のタップ切換器の欠点は、パワーエレクトロニクス半導体製スイッチ部品が定常状態でも常にその時点のタップ電圧を印加されていることである。
【先行技術文献】
【特許文献】
【０００５】
【特許文献１】国際特許公開第９７／０５５３６号明細書
【特許文献２】国際特許公開第８８／１０５０２号明細書
【発明の概要】
【発明が解決しようとする課題】
【０００６】
本発明の課題は、前記の形式のタップ切換器の欠点を取り除いて、定常状態でパワーエレクトロニクス製構成部品のスイッチ状態を解放する解決策を提供することである。
【０００７】
確かに、特許文献２により、定常状態で機械的な保持主接点による電流の誘導を行っている、サイリスタ対を備えたタップ切換器が既に知られている。しかし、この周知の解決策は、多数の機械的な接点を備えた別個の負荷切換開閉器を有する、所謂ハイブリッド切換器であり、エネルギー貯蔵器を用いて、短時間の間介在させることが可能な遷移抵抗によるタップ付変成器の二つの巻線タップ間の高速切換を実現している。それに対して、本発明では、正に遷移抵抗を不要としている。
【課題を解決するための手段】
【０００８】
本課題は、請求項１の特徴を有するタップ切換器によって解決される。従属請求項は、本発明の特に有利な改善構成を記載している。
【０００９】
この場合、本発明の一般的な考えは、電気絶縁材料から成る移動可能なコンタクトスライダーを配備して、その上に複数の導電性のコンタクトブリッジを固定して配置し、それらのコンタクトブリッジをコンタクトスライダーと一緒に巻線タップの間を動かすことができるようにすることである。それによって、切換毎に、切り離そうとしている巻線タップから切り換え先の巻線タップに全てのコンタクトブリッジを一緒に移動させることを行っている。本発明では、コンタクトブリッジの中の一つ（バイパスコンタクトブリッジ）が、それぞれ定常状態において、その時点でスイッチングされている巻線タップ、即ち、それに対応するタップ切換器の固定位置の接点を負荷導線と直に接続している。
【００１０】
全体として、本発明では、決まった時間的順序、即ち、切換シーケンスでの切換時に、各コンタクトブリッジによって、半導体製構成部品の簡単な切換と簡単なコンタクト又はスイッチングが実現される。更に、負荷導線と直に繋がった別のコンタクトブリッジ（バイパスコンタクトブリッジ）によって、定常状態における半導体製構成部品のスイッチ状態の解放、即ち、電気的な負荷の解除が簡単に実現される。
【００１１】
以下において、実施例に基づき本発明を更に詳しく説明する。
【図面の簡単な説明】
【００１２】
【図１】本発明によるタップ切換器の模式図
【図２】本発明によるタップ切換器の別の実施構成図
【発明を実施するための形態】
【００１３】
図１には、パワーエレクトロニクス製負荷切換開閉器１を備えたタップ切換器が図示されている。この場合、それぞれ一つの電気入力４又は５と共通の電気出力６を有する二つの半導体製スイッチ２と３が配備されている。これらの電気入力４，５と電気出力６は、碍子７を用いて、機械的なコンタクトシステム８内に通されている。
【００１４】
この機械的なコンタクトシステム８は、図面には単に破線で表されているコンタクトスライダー９を有する。このコンタクトスライダー９は、コンタクトブリッジ１０，１１，１２，１３を有し、これらのコンタクトブリッジは、コンタクトスライダー上に固定して配置されている。コンタクトブリッジ１０．．．１３は、導電性であるが、互いに絶縁されており、それらの端部には、図面で大まかにしか図示されていない周知のコンタクトローラー、摺動機器又はそれらと同等の手段を備えている。図面に図示されているタップ接点１４の各々は、タップ付変成器の制御巻線１５の巻線タップｎ，ｎ＋１，．．．に対応している。更に、機械的なコンタクトシステム内には、三つのコンタクトバー１６，１７，１８が配備されており、それらは、それぞれ導電性であり、それらの各々は、半導体製スイッチ２，３の電気入力４、電気入力５又は電気出力６と電気的に接続されている。
【００１５】
更に、機械的なコンタクトシステム内には、本来の負荷導線２０と電気的に接続されたバイパスコンタクトバー１９も配置されており、この負荷導線は、更に、タップ付変成器の主巻線２１と繋がっている。
【００１６】
ここで図示されている実施構成では、コンタクトバー１６〜１８とバイパスコンタクトバー１９は、互いに平行に延びており、この場合、コンタクトスライダー９は、コンタクトのための直線的な並進動作を実行する。
【００１７】
第一のコンタクトブリッジ１０の一方の自由端は、タップ切換接点１４と接続することができ、その他方の自由端は、第一の半導体製スイッチ２の入力４と電気的に接続されたコンタクトバー１６上を滑走することができる。同様に、第二のコンタクトブリッジ１１の一方の自由端は、固定位置のタップ切換接点１４と接続することができ、その他方の自由端は、第二の半導体製スイッチ３の入力５と電気的に接続された別のコンタクトバー１７上を滑走することができる。第三のコンタクトブリッジ１２の一方の自由端は、パワーエレクトロニクス製電力スイッチの共通の電気出力６と電気的に接続されたコンタクトバー１８上を滑走することができ、その他方の自由端は、バイパスコンタクトバー１９上を滑走することができる。前述した二つのコンタクトブリッジ１０と１１の間の空間には、別のコンタクトブリッジ（バイパスコンタクトブリッジ）１３が配置されており、その一方の自由端は、固定位置のタップ切換接点１４とコンタクトすることができ、その他方の自由端は、バイパスコンタクトバー１９上を滑走することができる。
【００１８】
コンタクトブリッジ１２、従って、パワーエレクトロニクス製負荷切換開閉器の共通の出力６とコンタクトブリッジ１３の両方が、バイパスコンタクトバー１９、即ち、負荷導線２０と電気的に接続されていることに留意されたい。定常状態では、コンタクトブリッジ１３は、その時点でスイッチングされているタップ切換接点１４と負荷導線２０の間の直接的な電気接続を行っている。それに対して、パワーエレクトロニクス製負荷切換開閉器１の入力と繋がっているコンタクトブリッジ１０と１１は、スイッチングされておらず、半導体製スイッチ２と３は、スイッチ状態から解放されている。
【００１９】
負荷を切り換る場合、コンタクトスライダー９は、「より高圧」又は「より低圧」の方向に切り換えるのかに応じて、左又は右に動かされる。その結果、二つのコンタクトブリッジの中の一方１０又は１１が、新たにスイッチングするタップ切換接点１４上で止まり、それによって、その時点の半導体製スイッチ２又は３の対応する入力４又は５との電気接続を形成する。それと同時に、コンタクトブリッジ１３はコンタクトしなくなる。そのような切換は、コンタクトスライダー９が更に動かされて、コンタクトブリッジ１０と１１の両方が再び接点と噛み合わなくなるとともに、コンタクトブリッジ１３が持続的な電流供給を行うようになった場合に完了する。
【００２０】
図２は、本発明の環状配置による別の実施構成を図示している。この場合でも、それぞれ別個の電気入力４又は５と共通の電気出力６を有する半導体製スイッチ２と３が配備されている。この場合、それぞれコンタクトリング２５，２６，２７上を滑走するコンタクトローラー２２，２３，２４が配備されている。これらのコンタクトリング２５〜２７は、それらの機能から、図１のコンタクトバー１６〜１８に相当する。この場合、同心円上には、固定位置のタップ切換接点１４が配備されている。更に、バイパスリング２８が図示されており、そのバイパスリング自体は、負荷導線と電気的に接続されている。
【００２１】
又もや単に破線で表されている絶縁材料から成るスイッチセグメント２９上には、固定位置のタップ切換接点１４とコンタクト可能なコンタクトローラー３０，３１，３２が第一の水平面内に配備されている。第二の水平面内には、バイパスリング上を滑走する別のコンタクトローラー３３，３４が配備されている。
【００２２】
コンタクトローラー３０は、コンタクトリング２５を介して、第一の半導体製スイッチ２の入力４と接続されている。コンタクトローラー３２は、コンタクトリング２６を介して、第二の半導体製スイッチ３の入力５と接続されている。下方のコンタクトローラー３３は、コンタクトリング２７を介して、二つの半導体製スイッチ２と３の共通の出力６と接続されている。導電性の接続部材３５は、結局のところ、上方のコンタクトローラー３１と下方のコンタクトローラー３４を有し、コンタクトローラー３０と３２の間の空間に配置されたコンタクトローラー３１が、下方のコンタクトローラー３４を介して、負荷導線２８と直に接続するようになっている。
【００２３】
この実施構成では、切換毎に、スイッチセグメント２９及びそれと共にコンタクトローラー３０〜３４が回転運動を実行する。
【００２４】
しかし、この動作原理は、前記と同じであり、定常状態では、その時点でスイッチングされている固定位置のタップ切換接点１４が、バイパスリング２８と直に電気的に接続されている一方、半導体製スイッチ２と３は、スイッチ状態から解放されている。切換時にのみ、回転方向に応じて、それぞれパワーエレクトロニクス製負荷切換開閉器の二つの入力の中の一方４又は５が、それに対応するコンタクトローラー３０又は３２を用いて、その時点の切り換え先の固定位置のタップ切換接点１４と短時間の間接続される。
【図１】
2012523681.tif 000003
【図２】
2012523681.tif 000004
【国際調査報告】
2012523681.tif 000005
2012523681.tif 000006
2012523681.tif 000007
2012523681.tif 000008
2012523681.tif 000009
2012523681.tif 000010